(57)【要約】      （修正有）【課題】制御ケーブルの据付時、制御ケーブルを昇降路内の所定の吊り位置に、迅速に且つ簡単に固定することができるようにする。【解決手段】エレベータの制御盤及びかご間に接続される制御ケーブル４の所定の位置に、支持具８を固定し、揚重装置１５によって上記支持具８を揚重する。そして、支持具８に固定された制御ケーブル４を昇降路３内の所定の吊り位置まで上昇させ、制御ケーブル４に固定された支持具８が揚重装置１５によって揚重された状態で、上記支持具８を制御ケーブル４の吊り位置に取り付ける。【選択図】図１
2008207901.tif 000002
【特許請求の範囲】
【請求項１】
エレベータの制御盤及びかご間に接続される制御ケーブルの所定の位置に固定される固定手段と、
前記固定手段に設けられ、前記制御ケーブルに固定された前記固定手段を揚重するために、揚重装置が連結される揚重手段と、
前記固定手段に設けられ、前記制御ケーブルに固定された前記固定手段が前記揚重装置によって揚重された状態で、前記固定手段を、昇降路固定体に設けられた前記制御ケーブルの吊り位置に取付可能な取付手段と、
を備えたことを特徴とするエレベータ用制御ケーブルの固定装置。
【請求項２】
固定手段は、
コ字状を呈し、その対向面にそれぞれ溝が形成された把持部と、
前記溝に挿入されることにより、コ字状を呈する前記把持部の開口部を塞ぐように前記把持部に取り付けられる押え板と、
を備え、
前記溝は、下方に向かうに従って、前記対向面間に形成された第１の把持面に接近するように斜めに形成され、
前記第１の把持面と前記第１の把持面に対向する前記押え板の第２の把持面とによって、前記把持部のコ字状部内に配置された制御ケーブルを挟持する
ことを特徴とする請求項１に記載のエレベータ用制御ケーブルの固定装置。
【請求項３】
エレベータの制御盤及びかご間に接続される制御ケーブルの所定の位置に、支持具を固定するステップと、
揚重装置によって前記支持具を揚重することにより、前記支持具に固定された前記制御ケーブルを昇降路内の所定の吊り位置まで上昇させるステップと、
前記制御ケーブルに固定された前記支持具が前記揚重装置によって揚重された状態で、前記支持具を前記吊り位置に取り付けるステップと、
を備えたことを特徴とするエレベータ用制御ケーブルの固定方法。
【請求項４】
昇降路固定体にガイド腕を固定するステップと、
前記ガイド腕に、揚重中の制御ケーブルの揺れを抑制させるケーブルガイドを取り付けるステップと、
支持具よりも下方の前記制御ケーブルを、前記ケーブルガイドにより形成された所定の空間内に配置しながら前記制御ケーブルを揚重するステップと、
前記支持具を吊り位置に取り付けた後、前記ケーブルガイドを前記ガイド腕から取り外すステップと、
を備えたことを特徴とする請求項３に記載のエレベータ用制御ケーブルの固定方法。
【請求項５】
ガイド腕は、制御ケーブルの吊り位置よりも下方に所定間隔毎に配置され、支持具が前記吊り位置に取り付けられてケーブルガイドが前記ガイド腕から取り外された後、制御ケーブルプロテクターとしての機能を有することを特徴とする請求項４に記載のエレベータ用制御ケーブルの固定方法。
【発明の詳細な説明】
【技術分野】
【０００１】
この発明は、エレベータの制御盤及びかご間に接続される制御ケーブルを昇降路内の所定の吊り位置に固定する固定装置、及び、上記制御ケーブルを上記吊り位置に固定する固定方法に関するものである。
【背景技術】
【０００２】
エレベータでは、かごに設けられた機器類を制御したり、上記機器類から入力された各種情報に基づいてエレベータを動作させたりするため、制御盤とかごとの間に制御ケーブルが接続されている。このため、制御ケーブルには、かごの昇降行程に応じた所定の長さが必要とされる。また、制御ケーブルは、かごの昇降動作に追従することができるように、かごに接続された一端部から昇降路の中間階付近に至る部分が、昇降路内でＵ字状に吊り下げられた状態に保持されている。即ち、上記制御ケーブルを据え付ける場合には、制御ケーブルを少なくとも中間階付近にまで揚重し、昇降路内の固定体に設けられた所定の吊り位置に固定する作業が必要となる。
【０００３】
従来では、このような制御ケーブルの据付に際し、制御ケーブルにワイヤーロープで玉掛けして昇降路内を揚重し、所定の吊り位置に制御ケーブルを固定していた。
【０００４】
また、制御ケーブル据付時に関するものではないが、制御ケーブルの取替方法の従来技術として、既設の旧制御ケーブルをそのまま温存した状態の下で新制御ケーブルを旧制御ケーブルの配線ルートに沿って配線するとともに、作業の最適段階において、旧制御ケーブルの両端末の接続を外し、新制御ケーブルの両端末を制御盤及びかごに接続するようにしたものが提案されている（例えば、特許文献１参照）。
【０００５】
【特許文献１】特開２００２−６８６３７号公報
【発明の開示】
【発明が解決しようとする課題】
【０００６】
従来の制御ケーブルの据付方法では、制御ケーブルをワイヤーロープで玉掛けした状態で揚重するため、昇降路内の吊り位置において、制御ケーブルを他の制御ケーブル吊手に付け替える作業が必要となり、作業性が著しく低下するといった問題があった。また、上記揚重方法では、揚重中に制御ケーブルのずれや揺れが発生することもあり、制御ケーブルが昇降路内機器類や突出物に引っ掛かるといった問題も生じていた。かかる場合には、引っ掛かりを外すための作業が更に必要となり、作業性が著しく悪化するといった問題があった。
【０００７】
なお、特許文献１記載のものは制御ケーブルの取替方法を単に開示したものであり、その記載内容に基づいて、上記課題を解決することはできなかった。
【０００８】
この発明は、上述のような課題を解決するためになされたもので、その目的は、制御ケーブルの据付時、制御ケーブルを昇降路内の所定の吊り位置に、迅速に且つ簡単に固定することができるエレベータ用制御ケーブルの固定装置及び固定方法を提供することである。
【課題を解決するための手段】
【０００９】
この発明に係るエレベータ用制御ケーブルの固定装置は、エレベータの制御盤及びかご間に接続される制御ケーブルの所定の位置に固定される固定手段と、固定手段に設けられ、制御ケーブルに固定された固定手段を揚重するために、揚重装置が連結される揚重手段と、固定手段に設けられ、制御ケーブルに固定された固定手段が揚重装置によって揚重された状態で、固定手段を、昇降路固定体に設けられた制御ケーブルの吊り位置に取付可能な取付手段と、を備えたものである。
【００１０】
この発明に係るエレベータ用制御ケーブルの固定方法は、エレベータの制御盤及びかご間に接続される制御ケーブルの所定の位置に、支持具を固定するステップと、揚重装置によって支持具を揚重することにより、支持具に固定された制御ケーブルを昇降路内の所定の吊り位置まで上昇させるステップと、制御ケーブルに固定された支持具が揚重装置によって揚重された状態で、支持具を吊り位置に取り付けるステップと、を備えたものである。
【発明の効果】
【００１１】
この発明によれば、制御ケーブルの据付時、制御ケーブルを昇降路内の所定の吊り位置に、迅速に且つ簡単に固定することができる。
【発明を実施するための最良の形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１におけるエレベータ用制御ケーブルの固定装置を示す斜視図、図２はこの発明の実施の形態１におけるエレベータ用制御ケーブルの固定装置の要部を示す分解斜視図、図３はこの発明の実施の形態１におけるエレベータ用制御ケーブルの固定装置の要部を示す縦断面図、図４はこの発明の実施の形態１におけるエレベータ用制御ケーブルの固定装置の他の要部を示す分解斜視図、図５はこの発明の実施の形態１におけるエレベータ用制御ケーブルの固定装置の他の要部を示す平面図である。なお、図３は図２に示す要部が組み立てられた状態の縦断面図を、図５は図４に示す要部が組み立てられた状態の平面図をそれぞれ示している。
【００１４】
図１乃至図５において、１はエレベータのかご２（図１乃至図５において図示せず）或いは釣合い重り（図示せず）の昇降方向を案内するために、昇降路３内に立設されたガイドレールである。このガイドレール１は、昇降路壁や昇降路梁に強固に固定されている。また、ガイドレール１には、制御ケーブル４を昇降路３内で支持する支持腕５と、後述のガイド腕６とが固定されている。
【００１５】
上記支持腕５は、例えば、補強のために断面がコ字状に曲成された板状部材からなり、一端部が昇降路固定体からなるガイドレール１の背面側にレールクリップ７によって固定され、他端部がガイドレール１の側方に突出するように配置される。この支持腕５は、その他端部が制御ケーブル４の吊り位置となるため、制御ケーブル４の吊り位置（高さ）に合わせて配置される。
【００１６】
支持金具８（支持具）は、制御ケーブル４の据付時に制御ケーブル４の所定の位置に固定されて、制御ケーブル４を揚重する際の吊具として使用されるとともに、制御ケーブル４の据付時に支持腕５の他端部に固定され、支持腕５への固定後は、制御ケーブル４を支持腕５に支持させる手段として使用される。なお、上記支持金具８には、例えば、把持金具９、押え板１０、フック板１１が備えられている。上記把持金具９は、制御ケーブル４を把持するための要部を構成し、上記押え板１０とによって制御ケーブル４を把持して、制御ケーブル４の任意の位置に固定される。また、把持金具９は、支持腕５の他端部に着脱自在な構成を有するとともに、その上部に、上記フック板１１が着脱自在に固定される。
【００１７】
具体的には、上記把持金具９は、平面視コ字状を呈する把持部１２と、把持部１２の両側部に設けられ、支持腕５のネジ孔５ａに対応して貫通孔１３ａが形成された取付部１３と、把持部１２の上部に設けられ、フック板１１の貫通孔１１ａに対応してネジ孔１４ａが形成された揚重部１４とが備えられている。なお、上記フック板１１は、制御ケーブル４に固定された把持金具９を揚重するために、揚重装置１５が連結されるものであり、その上部に揚重装置１５のフック１５ａが掛止されるフック孔１１ｂが、また、その下部には、上述の通り、ネジ孔１４ａに対応する位置に貫通孔１１ａが形成されている。
【００１８】
上記把持部１２は、制御ケーブル４の幅よりも僅かに大きな幅を有するコ字状を呈しており、その対向面に、押え板１０を上方から挿入するための溝１２ａがそれぞれ設けられている。即ち、押え板１０は、把持部１２の対向面間距離よりも僅かに大きな幅を有しており、その両端部が各溝１２ａ内に配置されるように溝１２ａに挿入されることにより、コ字状を呈する把持部１２の開口部を塞ぐように把持部１２に取り付けられる。
【００１９】
また、上記溝１２ａは、下方に向かうに従って、対向面間に形成された把持面１２ｂに接近するように斜めに形成されている。したがって、押え板１０が溝１２ａに上方から挿入されると、把持面１２ｂに対向する押え板１０の把持面１０ａは、押え板１０が下方に移動するに従って把持面１２ｂに接近するように配置される。つまり、把持金具９を制御ケーブル４の所定位置に固定する場合には、把持部１２のコ字状部内に制御ケーブル４を配置した後、押え板１０を溝１２ａに挿入し、把持部１２の把持面１２ｂと押え板１０の把持面１０ａとによって上記制御ケーブル４を両側から挟持するように、即ち、クサビ作用によって制御ケーブル４を咥え込むように固定する。
【００２０】
なお、制御ケーブル４に対向する両把持面１２ｂ及び１０ａには、制御ケーブル４を把持した際に制御ケーブル４が損傷することを防止するため、ゴム板等の保護シート１６及び１７が一面に渡って接着固定されている。また、同じく制御ケーブル４に損傷を与えることを防止するため、実際に制御ケーブル４に接触して制御ケーブル４を把持部１２の把持面１２ｂに押え付ける押え板１０の下部は、押え板１０が溝１２ａに挿入された状態で、把持面１２ｂから離れる方向に湾曲されており、制御ケーブル４を把持する際に湾曲面（湾曲面に接着固定された保護シート１７）が制御ケーブル４に接触するように構成されている。
【００２１】
また、上記取付部１３は、制御ケーブル４に固定された把持金具９が揚重装置１５によって揚重された状態で、把持金具９を支持腕５の他端部に取り付けることができるような構成を有しており、例えば、把持部１２の両側に突出するように配置され、その背面側が把持部１２の背面側と面一となるように形成されている。
【００２２】
なお、実施の形態１において、固定手段は把持金具９の把持部１２と押え板１０とから、揚重手段は把持金具９の揚重部１４とフック板１１とから、取付手段は把持金具９の取付部１３から構成される。
【００２３】
次に、制御ケーブル４を支持腕５に支持させる際の動作及び手順について説明する。
制御ケーブル４の据付時、作業員は、先ず、ガイドレール１の所定位置（高さ）に、レールクリップ７を使用して支持腕５を固定する。なお、支持腕５を固定する高さは制御ケーブル４の吊り位置と同じであり、例えば、昇降路３の中間階付近に設置される。また、支持腕５の固定位置よりも上方に、制御ケーブル４を揚重するための揚重装置１５を設置する。この揚重装置１５は、例えば、チェーンブロック等から構成される。
【００２４】
次に、昇降路３のピット部等において、制御ケーブル４の所定の位置に、支持金具８を固定する。なお、上記支持金具８を固定する位置は、制御ケーブル４が上記吊り位置に支持される位置と同じ位置になるようにする。即ち、制御ケーブル４に支持金具８を固定した際に、制御ケーブル４の支持金具８から一端部までの距離が、吊り位置からかご２への接続部までに必要な長さよりも長くなるようにする。また、制御ケーブル４の支持金具８から他端部までの距離が、吊り位置からエレベータ制御盤１８（図１乃至図５において図示せず）への接続部までに必要な長さよりも長くなるようにしておく。
【００２５】
なお、支持金具８の制御ケーブル４への固定方法は上述の通りであり、把持部１２のコ字状部内に制御ケーブル４を配置した後、押え板１０を溝１２ａに挿入することにより、クサビ作用によって制御ケーブル４を咥え込むように固定する。また、この時、フック板１１は把持金具９の揚重部１４に取り付けた状態にしておく。即ち、支持金具８を制御ケーブル４に固定する前、或いは、固定した直後に、ボルト１９を使用してフック板１１を揚重部１４に締結固定しておく。
【００２６】
次に、揚重装置１５のフック１５ａをフック板１１のフック孔１１ｂに掛止して、揚重装置１５によって支持金具８を揚重する。そして、支持金具８に咥えられた制御ケーブル４を支持腕５の設置高さまで上昇させた後、フック１５ａに支持金具８を吊り下げた状態のまま、即ち、支持金具８が揚重装置１５によって揚重された状態のまま、ボルト２０を使用して支持金具８の取付部１３を支持腕５の他端部に締結固定する。また、支持金具８を支持腕５の他端部に固定した後、フック１５ａをフック板１１から外すとともに、ボルト１９を弛緩させて、フック板１１を把持金具９の揚重部１４から取り外す。以上の手順によって、制御ケーブル４を支持金具８を介して支持腕５に支持させる。
【００２７】
一方、上記ガイド腕６は、例えば、所定の形状に曲成された板状部材からなり、一端部がガイドレール１の背面側にレールクリップ２１によって固定され、他端部が、上記支持腕５の他端部と同様にガイドレール１の側方に突出するように配置される。このガイド腕６は、制御ケーブル４の据付時にケーブルガイド２２を保持する機能を有するとともに、制御ケーブル４の据付後は、日本エレベータ協会標準（ＪＥＡＳ−７１１）「エレベータの昇降路内機器突起物に対する保護措置標準」に準拠した制御ケーブルプロテクターとしての機能を有するように構成され、例えば、上記支持腕５の下方に所定の間隔毎に配置される。
【００２８】
上記ケーブルガイド２２は、ガイド腕６の他端部に着脱自在に設けられるとともに、制御ケーブル４の据付時に任意のガイド腕６に固定され、制御ケーブル４の支持金具８よりも下方に配置された部分をそのガイド部分によって案内することにより、揚重中の制御ケーブル４の揺れを抑制させる機能を有している。このケーブルガイド２２には、例えば、ガイド金具２３と、蓋２４とが備えられている。上記ガイド金具２３は、制御ケーブル４を案内するための要部を構成し、上記蓋２４とによって揚重中の制御ケーブル４の揺れを抑制する上記ガイド部分を形成する。また、ガイド金具２３は、ガイド腕６の他端部に対して着脱自在な構成を有している。
【００２９】
具体的には、上記ガイド金具２３は、平面視コ字状を呈するガイド部２５と、ガイド部２５の両側部に設けられ、ガイド腕６のネジ孔（図示せず）に対応して貫通孔（図示せず）が形成された取付部２６とが備えられている。上記ガイド部２５は、制御ケーブル４の幅よりも僅かに大きな幅を有するコ字状を呈しており、その対向面に蓋２４を上方から挿入するための溝２５ａがそれぞれ設けられている。即ち、蓋２４は、ガイド部２５の対向面間距離よりも僅かに大きな幅を有しており、その両端部が各溝２５ａ内に配置されるように溝２５ａに挿入されることにより、コ字状を呈するガイド部２５の開口部を塞ぐようにガイド部２５に取り付けられる。
【００３０】
また、上記溝２５ａは、溝２５ａが形成された対向面間のガイド面２５ｂに対して平行になるように、ガイド面２５ｂから所定距離離れた位置に鉛直方向に形成されている。したがって、蓋２４が溝２５ａに上方から挿入されると、ガイド面２５ｂに対向する蓋２４のガイド面２４ａが、ガイド面２５ｂに対して平行となるように鉛直方向に配置され、ケーブルガイド２２に、ガイド部２５の両対向面とガイド面２５ｂ及び２４ａとによって平面視四方が囲まれた中空部２７が形成される。なお、この中空部２７は、制御ケーブル４が通過することのできる所定の大きさ（断面積）を有している。即ち、中空部２７は、制御ケーブル４がその開口方向に沿って配置された場合に、制御ケーブル４とこの制御ケーブル４の四方を囲むガイド部２５の両対向面並びにガイド面２５ｂ及び２４ａとの間に、それぞれ所定の間隙が形成される大きさを有している。また、上記両ガイド面２５ｂ及び２４ａには、制御ケーブル４が中空部２７内を通過する際に制御ケーブル４が損傷することを防止するため、ゴム板等の保護シート２８及び２９が一面に渡って接着固定されている。
【００３１】
そして、制御ケーブル４の据付時、作業員は、ガイドレール１の所定位置（高さ）に、レールクリップ２１を使用してガイド腕６を固定する。なお、ガイド腕６を固定する高さは、例えば、制御ケーブル４の据付後に、ガイド腕６を上記ＪＥＡＳ−７１１に準拠した制御ケーブルプロテクターとして使用できる高さとする。次に、ガイドレール１に固定されたガイド腕６の他端部に、ケーブルガイド２２のガイド金具２３をボルト３０を使用して締結固定する。この時、蓋２４は、ガイド金具２３から外した状態にしておく。なお、ガイド腕６をＪＥＡＳ−７１１に基づいてガイドレール１に複数設置した場合には、ガイド金具２３を固定するガイド腕６は、設置した全てのガイド腕６としても良いし、任意のガイド腕６としても良い。したがって、例えば、最下部に設置されたガイド腕６のみにガイド金具２３を固定するようにしても良い。
【００３２】
ガイド金具２３をガイド腕６に固定した後、上述した手順により制御ケーブル４の揚重を開始する。そして、揚重装置１５によって支持金具８、即ち、支持金具８に咥えられた制御ケーブル４を揚重する際に、支持金具８よりも下方の制御ケーブル４の揺れをケーブルガイド２２によって抑制する。
【００３３】
具体的には、揚重装置１５によって制御ケーブル４を揚重する際に、支持金具８が、ガイド腕６に取り付けられたガイド金具２３の上方に移動した後、支持金具８よりも下方の制御ケーブル４をこのガイド金具２３のコ字状部内に配置するとともに、蓋２４をガイド金具２３の溝２５ａに挿入して、制御ケーブル４を中空部２７内に配置する。その後、揚重装置１５による制御ケーブル４の揚重を継続し、上記手順によって支持金具８を支持腕５の他端部に固定する。なお、制御ケーブル４の揚重距離が長く、ガイド金具２３を複数のガイド腕６に取り付けた場合には、支持金具８が各ガイド金具２３を通過する度に上記作業を実施して、制御ケーブル４を各ケーブルガイド２２の中空部２７内に配置しながら、制御ケーブル４を揚重する。
【００３４】
また、支持金具８を支持腕５の他端部に締結固定した後、蓋２４をガイド金具２３から外して制御ケーブル４をガイド金具２３のコ字状部内から取り出すとともに、ボルト３０を弛緩させて、ガイド金具２３をガイド腕６の他端部から取り外す。なお、図６は制御ケーブル据付完了後のエレベータ装置を示す斜視図であり、上記動作が全て完了した際の昇降路３内の状態を示したものである。ここで、図６における３１は巻上ロープ、３２はかご枠、３３はレールブラケット、３４は中間ビーム、３５は着床検出板、３６は引っ掛かり防止ワイヤーを示している。
【００３５】
この発明の実施の形態１によれば、制御ケーブル４の据付時に、制御ケーブル４を昇降路３内の所定の吊り位置に、迅速且つ簡単に固定することが可能となる。即ち、制御ケーブル４の据付時、制御ケーブル４の吊具として使用した支持金具８を、吊具として使用した状態のまま支持腕５の他端部に固定することにより、制御ケーブル４を吊り位置に固定することができる。このため、従来のように、制御ケーブル４を他の制御ケーブル吊手に付け替える必要がなく、その作業を簡略化させ、作業時間を大幅に短縮させることが可能となる。
【００３６】
また、上記ケーブルガイド２２により、揚重中の制御ケーブル４の揺れを抑制することができ、制御ケーブル４が昇降路３内の機器類や突出物に引っ掛かることを確実に防止できる。したがって、高揚程のエレベータであって、制御ケーブル４の揚重距離が長い場合には、特に有効な手段となる。
【００３７】
また、上記ケーブルガイド２２を支持するガイド腕６を、上記ＪＥＡＳ−７１１に準拠した制御ケーブルプロテクターとして使用できる高さに予め設置しておくことにより、制御ケーブル４の据付後に、ケーブルガイド２２をガイド腕６の他端部から取り外すことのみによって、ガイド腕６を上記制御ケーブルプロテクターとして機能させることが可能となる。このため、上記制御ケーブルプロテクターを別途設置する必要がなくなり、コストの削減及び作業時間の大幅な短縮を図ることが可能となる。
【００３８】
実施の形態２．
図７はこの発明の実施の形態２における制御ケーブル据付完了後のエレベータ装置を示す側面図である。図７において、昇降路３内には、実施の形態１の動作によって中間階付近の支持腕５に固定された支持金具８、即ち、制御ケーブル４の吊り位置の上方に、ガイドレール１に設けられたガイド腕６及びガイド腕６に固定されたケーブルガイド２２が所定間隔毎に配置されている。そして、詳細は図示されていないが、制御ケーブル４は、各ケーブルガイド２２の中空部２７内を通って、昇降路３上方の機械室３７に設けられた制御盤１８にその他端部が接続されている。
【００３９】
なお、制御ケーブル４を図７に示す状態に接続するには、先ず、実施の形態１と同様の手順によって制御ケーブル４を吊り位置に固定する。そして、その後、揚重装置１５によって制御ケーブル４を吊り位置から更に上方に揚重し、機械室３７に設置された制御盤１８に制御ケーブル４の他端部を接続する。この時、吊り位置よりも上方の所定の位置に予めガイド腕６とガイド金具２３とを固定しておき、制御ケーブル４を各ケーブルガイド２２の中空部２７内に配置しながら制御ケーブル４を揚重する。
【００４０】
この発明の実施の形態２によれば、制御盤１８が昇降路３内の吊り位置よりも上方に設置されている場合に、制御ケーブル４を吊り位置に固定した後も揚重中の制御ケーブル４の揺れを抑制することが可能となる。このため、制御ケーブル４の揚重距離が長い高揚程のエレベータには、特に有効な手段となる。なお、吊り位置よりも上方に配置されたケーブルガイド２２は、制御ケーブル４の他端部が制御盤１８に接続された後も、制御ケーブル４の配線止めとして使用することができ、制御ケーブル４の据付作業性を更に向上させることが可能となる。
【図面の簡単な説明】
【００４１】
【図１】この発明の実施の形態１におけるエレベータ用制御ケーブルの固定装置を示す斜視図である。
【図２】この発明の実施の形態１におけるエレベータ用制御ケーブルの固定装置の要部を示す分解斜視図である。
【図３】この発明の実施の形態１におけるエレベータ用制御ケーブルの固定装置の要部を示す縦断面図である。
【図４】この発明の実施の形態１におけるエレベータ用制御ケーブルの固定装置の他の要部を示す分解斜視図である。
【図５】この発明の実施の形態１におけるエレベータ用制御ケーブルの固定装置の他の要部を示す平面図である。
【図６】制御ケーブル据付完了後のエレベータ装置を示す斜視図である。
【図７】この発明の実施の形態２における制御ケーブル据付完了後のエレベータ装置を示す側面図である。
【符号の説明】
【００４２】
１  ガイドレール、  ２  かご、  ３  昇降路、  ４  制御ケーブル、  ５  支持腕、
５ａ  ネジ孔、  ６  ガイド腕、  ７  レールクリップ、  ８  支持金具、
９  把持金具、  １０  押え板、  １０ａ  把持面、  １１  フック板、
１１ａ  貫通孔、  １１ｂ  フック孔、  １２  把持部、  １２ａ  溝、
１２ｂ  把持面、  １３  取付部、  １３ａ  貫通孔、  １４  揚重部、
１４ａ  ネジ孔、  １５  揚重装置、  １５ａ  フック、  １６  保護シート、
１７  保護シート、  １８  制御盤、  １９  ボルト、  ２０  ボルト、
２１  レールクリップ、  ２２  ケーブルガイド、  ２３  ガイド金具、
２４  蓋、  ２４ａ  ガイド面、  ２５  ガイド部、  ２５ａ  溝、
２５ｂ  ガイド面、  ２６  取付部、  ２７  中空部、  ２８  保護シート、
２９  保護シート、  ３０  ボルト、  ３１  巻上ロープ、  ３２  かご枠、
３３  レールブラケット、  ３４  中間ビーム、  ３５  着床検出板、
３６  引っ掛かり防止ワイヤー、  ３７  機械室
【図１】
2008207901.tif 000003
【図２】
2008207901.tif 000004
【図３】
2008207901.tif 000005
【図４】
2008207901.tif 000006
【図５】
2008207901.tif 000007
【図６】
2008207901.tif 000008
【図７】
2008207901.tif 000009